(57)【要約】      （修正有）【課題】保守点検対象部の保守点検をより確実に行うことができる空気調和装置の室内機を提供する。【解決手段】側面に保守点検対象部が配置された室内機本体１と、保守点検対象部が保守点検される時に必要となるスペースである作業スペースを確保するための作業スペース確保用部材２Ａとを備え、作業スペース確保用部材２Ａは、保守点検対象部が保守点検されない場合に作業スペースに配置され、保守点検対象部が保守点検される場合に作業スペースから撤去される。【選択図】図１
2018128159.tif 000002
【特許請求の範囲】
【請求項１】
側面に保守点検対象部が配置された室内機本体と、
前記保守点検対象部が保守点検される時に必要となるスペースである作業スペースを確保するための作業スペース確保用部材と
を備え、
前記作業スペース確保用部材は、前記保守点検対象部が保守点検されない場合に前記作業スペースに配置され、前記保守点検対象部が保守点検される場合に前記作業スペースから撤去される空気調和装置の室内機。
【請求項２】
前記作業スペース確保用部材は、前記室内機本体を搬入する際に前記室内機本体を包む梱包部材の一部である請求項１に記載の空気調和装置の室内機。
【請求項３】
前記作業スペース確保用部材は、前記保守点検対象部を覆う緩衝部材となっている請求項１または請求項２に記載の空気調和装置の室内機。
【請求項４】
側面に保守点検対象部が配置された室内機本体と、
前記保守点検対象部が保守点検される時に必要となるスペースである作業スペースを確保するための作業スペース確保用部材と
を備え、
前記作業スペース確保用部材は、前記作業スペースを幅方向に挟む一対の挟み部材を有し、
前記一対の挟み部材は、前記保守点検対象部が保守点検されない場合に前記作業スペースを幅方向に挟み、前記保守点検対象部が保守点検される場合に前記作業スペースを幅方向に挟むことが解除される空気調和装置の室内機。
【請求項５】
前記一対の挟み部材は、前記室内機本体に対してスライド可能となっており、
前記一対の挟み部材は、前記室内機本体に対してスライドすることによって、前記作業スペースを幅方向に挟む確保位置と、前記作業スペースを幅方向に挟むことが解除される解除位置との間で変位する請求項４に記載の空気調和装置の室内機。
【発明の詳細な説明】
【技術分野】
【０００１】
この発明は、天井裏空間に設置される空気調和装置の室内機に関する。
【背景技術】
【０００２】
従来、天井に形成された設置孔から空気が吹き出されるように天井裏空間に設置される空気調和装置の室内機が知られている。室内機における保守点検対象部を保守点検する場合には、天井に形成された点検口を通って保守点検作業者が天井裏空間に入る（例えば、特許文献１参照）。
【先行技術文献】
【特許文献】
【０００３】
【特許文献１】特開２０１０−２７６２１８号公報
【発明の概要】
【発明が解決しようとする課題】
【０００４】
しかしながら、天井裏空間であって保守点検対象部が保守点検される時に必要となるスペースである作業スペースに、配管、ダクトなどの建築部材が設置されている場合には、保守点検対象部の保守点検を行うことが困難となるという問題点があった。
【０００５】
この発明は、保守点検対象部の保守点検をより確実に行うことができる空気調和装置の室内機を提供するものである。
【課題を解決するための手段】
【０００６】
この発明に係る空気調和装置の室内機は、側面に保守点検対象部が配置された室内機本体と、保守点検対象部が保守点検される時に必要となるスペースである作業スペースを確保するための作業スペース確保用部材とを備え、作業スペース確保用部材は、保守点検対象部が保守点検されない場合に作業スペースに配置され、保守点検対象部が保守点検される場合に作業スペースから撤去される。
【発明の効果】
【０００７】
この発明に係る空気調和装置の室内機によれば、保守点検対象部が保守点検される時に必要となるスペースである作業スペースを確保するための作業スペース確保用部材とを備え、作業スペース確保用部材は、保守点検対象部が保守点検されない場合に作業スペースに配置され、保守点検対象部が保守点検される場合に作業スペースから撤去されるので、保守点検対象部の保守点検を行う場合に、作業スペースに配管、ダクトなどの建築部材が設置されることを防止することができる。その結果、保守点検対象部の保守点検をより確実に行うことができる。
【図面の簡単な説明】
【０００８】
【図１】この発明の実施の形態１に係る空気調和装置の室内機を示す斜視図である。
【図２】図１の空気調和装置の室内機を示す平面図である。
【図３】図１の室内機本体を示す斜視図である。
【図４】この発明の実施の形態２に係る空気調和装置の室内機を示す斜視図である。
【図５】図４の一対の挟み部材が変位した状態を示す斜視図である。
【発明を実施するための形態】
【０００９】
実施の形態１．
図１はこの発明の実施の形態１に係る空気調和装置の室内機を示す斜視図、図２は図１の空気調和装置の室内機を示す平面図である。図において、空気調和装置の室内機は、天井１００よりも上方の空間である天井裏空間に配置されている。図１では、天井裏空間から視た場合の空気調和装置の室内機を示している。また、図１には、天井１００の一部も示されている。また、分かりやすくするために、図１では、天井１００は一部が破断された状態で示されている。天井１００には、保守点検作業者が室内と天井裏空間との間を移動するための点検口１０１が形成されている。点検口１０１には、点検口１０１を塞ぐ点検蓋１０２が配置されている。点検蓋１０２は、点検口１０１を塞ぐ閉位置と、点検口１０１が開く開位置との間で変位する。
【００１０】
空気調和装置の室内機は、室内の空気を吸い込み、吸い込んだ空気を室内に吐き出す室内機本体１と、室内機本体１に隣り合うように設けられる作業スペース確保用部材２Ａとを備えている。作業スペース確保用部材２Ａは、室内機本体１に着脱可能に設けられている。点検口１０１は、点検口１０１と室内機本体１との間に作業スペース確保用部材２Ａの少なくとも一部が配置される位置に配置されている。
【００１１】
図３は図１の室内機本体１を示す斜視図である。室内機本体１は、側面に配置された複数の保守点検対象部１１を有している。保守点検対象部１１としては、基板、冷媒配管、ドレンポンプ、ドレン管、電気配線などが挙げられる。なお、保守点検対象部１１は、基板、冷媒配管、ドレンポンプ、ドレン管および電気配線の中の何れであってもよい。この例では、保守点検対象部１１は、室内機本体１における隣り合う一対の側面に配置されている。なお、保守点検対象部１１が配置される側面は、室内機本体１における隣り合う一対の側面に限らず、室内機本体１におけるその他の側面であってもよい。保守点検としては、清掃、交換、点検などが挙げられる。なお、保守点検は、清掃、交換および点検の何れであってもよい。
【００１２】
図２に示すように、作業スペース確保用部材２Ａは、それぞれの保守点検対象部１１が保守点検される時に必要となるスペースである作業スペースを確保するためのものである。この例では、保守点検対象部１１が室内機本体１における隣り合う一対の側面に配置されているので、作業スペース確保用部材２Ａは、Ｌ字形状に形成されている。作業スペース確保用部材２Ａは、保守点検対象部１１が保守点検されない場合に作業スペースに配置され、保守点検対象部１１が保守点検される場合に作業スペースから撤去される。
【００１３】
また、作業スペース確保用部材２Ａは、室内機本体１を搬入する際に室内機本体１を包む梱包部材の一部となっている。これにより、室内機本体１を天井裏空間から撤去する梱包部材が減少する。
【００１４】
また、作業スペース確保用部材２Ａは、保守点検対象部１１を覆う緩衝部材となっている。これにより、天井裏空間において、室内機本体１の保守点検以外の作業が行われる場合に、異物が保守点検対象部１１に衝突することが防止される。作業スペース確保用部材２Ａとしては、段ボール、風船、板などが挙げられる。作業スペース確保用部材２Ａとしては、不燃物であることが望ましい。
【００１５】
作業スペース確保用部材２Ａは、作業スペース確保用部材２Ａが設置されているスペースが作業スペースである旨を示す表示部２１を有している。具体的には、作業スペース確保用部材２Ａの表示部２１には、例えば、「ここは、作業スペースであり、この範囲に機器を設置しないでください。」という表示がされている。
【００１６】
天井１００に点検口１０１を形成する作業者は、作業スペース確保用部材２Ａの設置位置を考慮しながら、点検口１０１を天井１００に形成する。これにより、保守点検作業者による室内機本体１の保守点検を容易に行うことができる。
【００１７】
次に、空気調和装置の室内機の保守点検の手順について説明する。まず、保守点検作業者は、点検蓋１０２を閉位置から開位置に変位させ、点検口１０１を通って、室内から天井裏空間に移動する。その後、保守点検作業者は、室内機本体１から作業スペース確保用部材２Ａを取り外す。言い換えれば、作業スペース確保用部材２Ａを作業スペースから撤去する。これにより、室内機本体１における保守点検対象部１１が露出する。また、保守点検対象部１１を保守点検するための作業スペースが天井裏空間に形成される。室内機本体１から取り外された作業スペース確保用部材２Ａは、天井裏空間であって作業スペースではない部分に置かれる。
【００１８】
その後、保守点検作業者は保守点検対象部１１の保守点検を行う。保守点検対象部１１の保守点検が終了すると、保守点検作業者は、作業スペース確保用部材２Ａを室内機本体１に取り付ける。言い換えれば、作業スペース確保用部材２Ａを作業スペースに配置する。その後、保守点検作業者は、点検口１０１を通って、天井裏空間から室内に移動し、点検蓋１０２を開位置から閉位置に変位させる。以上により、空気調和装置の室内機の保守点検が終了する。
【００１９】
以上説明したように、この発明の実施の形態１に係る空気調和装置の室内機によれば、側面に保守点検対象部１１が配置された室内機本体１と、保守点検対象部１１が保守点検される時に必要となるスペースである作業スペースを確保するための作業スペース確保用部材２Ａとを備え、作業スペース確保用部材２Ａは、保守点検対象部１１が保守点検されない場合に作業スペースに配置され、保守点検対象部１１が保守点検される場合に作業スペースから撤去されるので、保守点検対象部１１の保守点検を行う場合に、作業スペースに配管、ダクトなどの建築部材が設置されることを防止することができる。その結果、保守点検対象部１１の保守点検をより確実に行うことができる。
【００２０】
また、作業スペース確保用部材２Ａは、室内機本体１を搬入する際に室内機本体１を包む梱包部材の一部であるので、室内機本体１を天井裏空間から撤去する梱包部材を減少させることができる。
【００２１】
また、作業スペース確保用部材２Ａは、保守点検対象部１１を覆う緩衝部材となっているので、天井裏空間において、室内機本体１の保守点検以外の作業が行われる場合に、異物が保守点検対象部１１に衝突することを防止することができる。
【００２２】
実施の形態２．
図４はこの発明の実施の形態２に係る空気調和装置の室内機を示す斜視図である。図４では、図１と同様に、天井裏空間から視た場合の空気調和装置の室内機を示している。また、図４には、天井１００の一部も示されている。また、分かりやすくするために、図４では、天井１００は一部が破断された状態で示されている。空気調和装置の室内機は、室内機本体１と、保守点検対象部１１が保守点検される時に必要となるスペースである作業スペースを確保するための作業スペース確保用部材２Ｂとを備えている。作業スペース確保用部材２Ｂは、作業スペースを幅方向に挟む一対の挟み部材２２を有している。一対の挟み部材２２には、表示部２１が配置されている。
【００２３】
図５は図４の一対の挟み部材２２が変位した状態を示す斜視図である。図４および図５に示すように、一対の挟み部材２２は、室内機本体１の側面に対してスライド可能となっている。一対の挟み部材２２は、室内機本体１の側面に対してスライドすることによって、作業スペースを幅方向に挟む確保位置と、作業スペースを幅方向に挟むことが解除される解除位置との間で変位する。一対の挟み部材２２は、保守点検対象部１１が保守点検されない場合に作業スペースを幅方向に挟み、保守点検対象部１１が保守点検される場合に作業スペースを幅方向に挟むことが解除される。なお、一対の挟み部材２２は、室内機本体１に対してスライドしない構成であってもよい。この場合、一対の挟み部材２２の位置は、室内機本体１に着脱可能に設けられる。その他の構成は、実施の形態１と同様である。
【００２４】
次に、空気調和装置の室内機の保守点検の手順について説明する。まず、保守点検作業者は、点検蓋１０２を閉位置から開位置に変位させ、点検口１０１を通って、室内から天井裏空間に移動する。その後、保守点検作業者は、一対の挟み部材２２を確保位置から解除位置に変位させる。これにより、保守点検対象部１１を保守点検するための作業スペースが天井裏空間に形成される。
【００２５】
その後、保守点検作業者は保守点検対象部１１の保守点検を行う。保守点検対象部１１の保守点検が終了すると、保守点検作業者は、一対の挟み部材２２を解除位置から確保位置に変位させる。その後、保守点検作業者は、点検口１０１を通って、天井裏空間から室内に移動し、点検蓋１０２を開位置から閉位置に変位させる。以上により、空気調和装置の室内機の保守点検が終了する。
【００２６】
以上説明したように、この発明の実施の形態２に係る空気調和装置の室内機によれば、側面に保守点検対象部１１が配置された室内機本体１と、保守点検対象部１１が保守点検される時に必要となるスペースである作業スペースを確保するための作業スペース確保用部材２Ｂとを備え、作業スペース確保用部材２Ｂは、作業スペースを幅方向に挟む一対の挟み部材２２を有し、一対の挟み部材２２は、保守点検対象部１１が保守点検されない場合に作業スペースを幅方向に挟み、保守点検対象部１１が保守点検される場合に作業スペースを幅方向に挟むことが解除されるので、実施の形態１と同様に、保守点検対象部１１の保守点検を行う場合に、作業スペースに配管、ダクトなどの建築部材が設置されることを防止することができる。その結果、保守点検対象部１１の保守点検をより確実に行うことができる。また、実施の形態２に係る空気調和装置の室内機は、実施の形態１の作業スペース確保用部材２Ａと比較して、作業スペース確保用部材２Ｂを小形化することができるので、作業スペース確保用部材２Ｂの変位を容易に行うことができる。
【００２７】
また、一対の挟み部材２２は、室内機本体１の側面に対してスライド可能となっており、一対の挟み部材２２は、室内機本体１の側面に対してスライドすることによって、作業スペースを幅方向に挟む確保位置と、作業スペースを幅方向に挟むことが解除される解除位置との間で変位するので、実施の形態１と比較して、保守点検対象部１１の保守点検を容易に行うことができる。
【符号の説明】
【００２８】
１  室内機本体、２Ａ、２Ｂ  作業スペース確保用部材、１１  保守点検対象部、２１  表示部、２２  挟み部材、１００  天井、１０１  点検口、１０２  点検蓋。
【図１】
2018128159.tif 000003
【図２】
2018128159.tif 000004
【図３】
2018128159.tif 000005
【図４】
2018128159.tif 000006
【図５】
2018128159.tif 000007